(57)【要約】      （修正有）【課題】透水性、疎水性、剛性に優れた不織布によってマチ付の袋体を作り、袋体のマチを展開すれば一定の大きさの底部と開口部とが形成され、シンク内で自立し、生ゴミを収容して水に濡れても形状を保持し、微細なゴミ等もろ過可能な自立性水切りゴミ袋を提供する。【解決手段】ゴミ袋は、ポリエチレン繊維とポリプロピレン繊維とを等量ずつ配合してサーマルボンド法で形成された目付量３０グラム未満の不織布シートを、長手方向中央で２つ折りし、折り目を内方に山折してマチ付きの底２となし、幅をＷとしたときに、長さＬがＷの少なくとも３/４で、マチ５の幅がＷの少なくとも１／２である袋体からなり、マチを展開することにより形成される自立自在な底部と、生ゴミが収容自在な開口部とを備える。【選択図】図１０
0003218784.tif 000002
【実用新案登録請求の範囲】
【請求項１】
ポリエチレン繊維とポリプロピレン繊維とを等量ずつ配合してサーマルボンド法で形成された目付量３０グラム未満の不織布シートを、長手方向中央で２つ折りする折り目を内方に山折してマチ付きの底となし、幅をＷとしたときに、長さがWの少なくとも３/４で、該マチの幅がWの少なくとも１／２である袋体の該マチを展開することにより形成された自立自在な底部と、生ゴミが収容自在な開口部とを備えたことを特徴とする自立性水切りゴミ袋。
【請求項２】
前記ポリエチレン繊維及び前記ポリプロピレン繊維それぞれの単糸は、太さが２から３デニール、長さが３５から４０ミリメートルで、
前記シートの目付量が２０から２５グラムであることを特徴とする請求項１記載の自立性水切りゴミ袋。
【請求項３】
前記ポリエチレン繊維及び前記ポリプロピレン繊維それぞれの単糸は、太さが２から２．４デニール、長さが３７から３９ミリメートルで、
前記不織布シートは、空隙率が２０から３０％であることを特徴とする請求項２記載の自立性水切りゴミ袋。
【考案の詳細な説明】
【技術分野】
【０００１】
本考案は、キッチンのシンク等に置いたときに自立し、生ゴミを収容して水切りができる自立性水切りゴミ袋に関するものである。
【背景技術】
【０００２】
従来、調理するときや食後に発生した野菜屑、魚のあら、残飯、ティーバックや茶殻などの生ゴミは、シンクのコーナーに設置した容器に内嵌めした水切り袋に収容し、その袋が一杯になったら、袋ごと大型のごみ箱に廃棄している。
しかしながら、生ゴミが収容された水切り袋は、容器から取り外すのが容易ではない。また、セルロースを主原料とする水切り袋等は吸水性があり、水にぬれると膨潤するため目詰まりを起こし、透水性が悪化するという性質があった。そのため、使用初期は、タンパク質やでんぷん質の微細粒状物が水と一緒に流出し、それらが管壁へ付着することによって排水処理上の問題を引き起こし、時間が経過すると、セルロースが膨潤するため水切れが悪化するという課題があった。
そこで、疎水性及び透水性に優れた不織布を水切りゴミ袋として使用する提案がなされた（特許文献１参照）。
また、不織布においても、微細なゴミの捕捉性には優れるが、目詰まりが生じ易く、水切れが悪化するという課題が改善され、かつ容器へのフィット性がよいソフトな水切り用濾過袋として、３から１５デニールのポリオレフィン系繊維で構成された不織布を２つ折りし、底部のみにマチを設けたもの（特許文献２）や、単糸の太さが５から１０デニール、目付量が１０から３０グラム／平方メートル、通気度が２０００から４５００ｃｃ／平方センチメートル／秒の生分解性を有するポリ乳酸系長繊維からなる不織布が水切りゴミ袋あるいは排水口フィルターとして提案されている（特許文献３）。
しかしながら、シンクに容器を設置する方法は、狭いシンクの一定スペースがその容器によって占有されてしまう。また、容器は生ごみから流出する微細粒状物で汚れやすく、洗浄するのに手間暇がかかる。
そこで、水切り袋を自立可能にしてシンクに容器を置かない方法が提案されている。
【０００３】
例えば、ガゼット折りした底部と背面に粘着剤層が積層されたテ―＾プが融着された舌片部とを有するポリオレイン不織布の袋体を流し台のコーナーに貼着して自立させる水切り袋（特許文献４）や、単糸繊度が６〜５０ｄｔｅｘ、目付が２５〜５０グラム／平方メートルのサーマルボンド不織布あるいはエアレイド不織布を、長手方向ほぼ中央部で内側に山折りに折り返して底部を形成し、上端部が内側又は外側に折り返して開口部を形成し、左右の端部をヒートシールで接合した自立可能な水切り袋（特許文献５）などが提案されている。
また、本出願人は、熱接着性不織布シートの両側それぞれを奇数回折畳み、辺縁相互を重ね合わせた矩形体の上端及び下端を溶着して接合することにより形成され、矩形の底部、伸張自在な側部、及び開閉自在な開口部を有する自立性水切り袋の特許権を取得している（特許文献６）。
【先行技術文献】
【特許文献】
【０００４】
【特許文献１】公開実用新案公報平１−１４０３０４号公報
【特許文献２】実開平４−１０６６１４号公報
【特許文献３】特開２０００−３４６５７号公報
【特許文献４】特開２００５−３１４０３１号公報
【特許文献５】実用新案登録第３１５９４２５号公報
【特許文献６】特許第６１６８４３９号公報
【考案の概要】
【考案が解決しようとする課題】
【０００５】
しかしながら、特許文献５に記載された水切り袋は、底部周囲又は開口部の周囲に形状保持可能なプラスチックや金属製の線材を付設しないと、水にぬれたときに一定の開口を保持することや自立性を保持することが困難である。また、特許文献６記載の発明は、自立性は十分維持されるうえ、自然に開口部を閉じるので衛生的であるが、生ゴミを収容する都度、開口部を開く必要があるので、煩わしさがある。
上記事情に鑑み、本考案は、透水性、疎水性、剛性に優れた不織布によってマチ付の袋体を作り、その袋体のマチを展開すれば一定の大きさの底部と開口部とが形成されるのでシンク内で自立し、生ゴミを収容して水に濡れても形状を保持し、微細なゴミ等もろ過可能な自立性水切りゴミ袋を提供することを目的とする。
【課題を解決するための手段】
【０００６】
本考案の自立性水切りゴミ袋は、ポリエチレン繊維とポリプロピレン繊維とを等量ずつ配合してサーマルボンド法で形成された目付量３０グラム未満の不織布シートを、長手方向中央で２つ折りする折り目を内方に山折してマチ付きの底となし、両側端縁が接合された袋体であって、上記袋体は、幅をＷとしたとき、長さが少なくとも２Ｗで、上記マチの幅が、少なくともＷ／２であり、上記マチを展開して形成される、水に濡れても形状が保持される自立自在な底部及び生ゴミが収容自在な開口部を備えたことを特徴とする。
ポリエチレン繊維とポリプロピレン繊維とを等量ずつ配合してサーマルボンド法で形成された不織布シートは、疎水性及び透水性があり、剛性が強いので、生ゴミを収容して長時間放置しても十分な自立性が保たれると共に、水に濡れても一定の大きさの開口部が維持される。
ここで、上記ポリエチレン繊維及び上記ポリプロピレン繊維それぞれの単糸は、太さが２から３デニール、長さが３５から４０ミリメートルで、上記シートの目付量が２０から２５グラムであることが好ましく、上記ポリエチレン繊維及び上記ポリプロピレン繊維それぞれの単糸は、太さが２から２．４デニール、長さが３７から３９ミリメートルであれば、上記不織布シートは、空隙率が２０から３０％であり、十分な透水性を有し、収容された生ゴミの水切りを目詰まりなく行うことができる。
【考案の効果】
【０００７】
本考案の自立性水切りゴミ袋は、疎水性、透水性、剛性を有するサーマルボンド不織布シートを使用して所定幅のマチを有する袋体を作成し、そのマチを展開すれば、一定の大きさの底部と生ゴミが収容可能な開口部とが形成される。そして、キッチンのシンク等に置いたときに自立し、水に濡れても形状が維持されるので、生ゴミを収容するのが容易であり、収容された生ゴミの水切りを目詰まりすることなく行える。
【図面の簡単な説明】
【０００８】
【図１】図１は、本実施形態の自立性水切りゴミ袋の一例を示す正面図である。
【図２】図２は、本実施形態の自立性水切りゴミ袋の一例を示す平面図である。
【図３】図３は、本実施形態の自立性水切りゴミ袋の一例を示す底面図である。
【図４】図４は、本実施形態の自立性水切りゴミ袋の一例を示す断面図である。
【図５】図５は、本実施形態の自立性水切りゴミ袋の袋体を作成する不織布シートを示す図である。
【図６】図６は、不織布シートを一方のＡ−Ａ’で谷折し、Ｂ−Ｂ‘で山折した不織布シートを示す正面図である。
【図７】図７は、不織布シートを一方のＡ−Ａ’で谷折し、Ｂ−Ｂ‘で山折した不織布シートを示す側面図である。
【図８】図８は、図６及び図７に示す不織布シートを他方のＡ−Ａ’で谷折りし、長手方向の両端と両側端とがぴったりと重なり合った状態の不織布シートを示す正面図である。
【図９】図９は、図６及び図７に示す不織布シートを他方のＡ−Ａ’で谷折りし、長手方向の両端と両側端とがぴったりと重なり合った状態の不織布シートを示す側面図である。
【図１０】図１０は、図８及び図９に示す不織布シートの両側端をヒートシールして形成された袋体を示す図である。
【考案を実施するための形態】
【０００９】
以下に、本考案の自立性水切りゴミ袋の実施形態について説明する。
図１から図４は、本実施形態の自立性水切りゴミ袋の一例を示す図であり、図１は、袋体のマチを展開した正面図、図２は、平面図、図３は底面図、図４はＣ&shy;−Ｃ‘における断面図である。
本実施形態の自立性水切りゴミ袋１０は、マチ付き袋体におけるマチを展開することによって形成される。
図１に示すように、本実施形態の自立性水切りゴミ袋１０は、マチ５の両端が側端縁３それぞれと一体的にヒートシールされた袋体におけるマチ５を展開することによって形成される。袋体を構成する不織布シートは剛性を有するので、底部１１と開口部１２とはほぼ同形をなすので、本実施形態の自立性水切りゴミ袋１０を正面から見ると長方形をなしている。
【００１０】
図２に示すように、底部１１と開口部１２は、大きさがほぼ等しく、略楕円形若しくは略矩形をなすが、ここでは、底部１１と開口部１２とが略楕円形をなしている場合を示す。
マチ５の両端は、袋体の側端縁３それぞれと一体的にヒートシールされており、底部１１の先端部１１a及び後端部11bは尖形を成している。
図３に示すように、底面１３の先端１３a及び後端１３ｂには空間Sが形成され、先端１３a付近及び後端１３ｂ付近は、袋体の側壁面と密着し、不織布シートが重なっている。その結果、他の側壁面よりも剛性が増し、底部１１の形状を保持する上で一定の効果を有している。
図４に断面を示すように、底部１１は、中央寄りの地点Xから端寄りの地点Yに向けて高さが次第に高くなり、船底のようになっている。
従って、本実施形態の自立性水切りゴミ袋１０は、不織布シート２０自体の剛性と不織布シートが重なっている部位の剛性とが相まって形状保持性が高い。
さらに、不織布シート２０を構成する繊維はいずれも水分吸収率がゼロに近く、水に濡れても、こしが弱まることはない。よって、本実施形態の自立性水切りゴミ袋１０は、生ゴミ等を収容するのが容易であり、水に濡れても、底部１１や開口部１２などの形状が保持される。
【００１１】
図５から図９は、袋体を形成するために、不織布シートを折畳むプロセスの一例を示す図である。
図５は、本実施形態の自立性水切りゴミ袋１０となる袋体１を作成する不織布シート２０を示す図である。
図５に示す不織布シート２０は、幅が２３５ミリメートル、長さが４８０ミリメートル、目付量が２０グラムの矩形のシートで、Ｂ−Ｂ‘は、長手方向の中央を山折する折り目、Ａ−Ａ’は、長手方向の中央から６０ミリメートル離間した、谷折する折り目を表している。また、谷折する折り目Ａ−Ａ’相互間は、底２を形成するマチ幅Mとなり１２０ミリメートルに設定されている。
【００１２】
図６及び図７は、図５に示す不織布シートを一方のＡ−Ａ’で谷折し、Ｂ−Ｂ‘で山折した不織布シートを示し、図６は正面図、図７は側面図である。
図６及び図７に示す不織布シート２０の折り畳み方は、不織布シート２０を一方向に順次折り畳む方法である。従って、不織布シート２０は、連続した長尺のものを順次折り畳み、４８０ミリメートル毎に切断すればよい。
【００１３】
図８及び図９は、図６及び図７に示す不織布シートを他方のＡ−Ａ’で谷折りし、長手方向の両端と両側端とがぴったりと重なり合った状態の不織布シートを示し、図８は、正面図、図９は、側面図である。
図９から明らかなように、不織布シート２０を長手方向中央で２つ折りする折り目Ｂ−Ｂ‘を内方に山折して、底２にマチ５が形成される。
ここでは、不織布シート２０を一方向に順次折り畳む方法を説明したが、最初に長手方向中央のＢ−Ｂ‘を山折し、その後に、２か所のＡ−Ａ’を谷折りすることによってマチ５を形成してもよい。
【００１４】
図１０は、図８及び図９に示す不織布シートの両側端をヒートシールして形成された袋体を示す図である。
図１０に示す袋体１は、山折りしたマチ５の折り目を破線で表しており、マチ５の両端は、袋体１の側端縁３と一体的にヒートシールされている。
本実施形態の袋体１は、幅Wが２３５ミリメートル、長さLが１８０ミリメートル、マチ幅Mが１２０ミリメートルに設定されている。ただし、ここで示す袋体１のサイズは、一例であって、幅をWとしたとき、長さLがWの３/４倍以上であり、マチ幅MがWの１/２以上に設定されたものであればよく、ここで示した大きさに限定する必要はない。
【００１５】
本実施形態で使用する不織布シート２０は、ポリエチレン繊維とポリプロピレン繊維とを等量ずつ配合してサーマルボンド法で形成されたもので、ポリエチレン繊維とポリプロピレン繊維それぞれは、太さが２から２．４デニール、長さが３７から３９ミリメートルの単糸で形成されている。
但し、ここで示す数値は一例であって、目付量は３０グラム未満、好ましくは２０から２５グラム、空隙率は、３０パーセント未満であればよい。また、ポリエチレン繊維及びポリプロピレン繊維それぞれは、太さが２から３デニール、長さが３０から４０ミリメートルの単糸で形成されていればよい。
ここで、ポリエチレンやポリプロピレンは、吸水率が極めて小さい熱可塑性樹脂であり、ポリプロピレンは曲げ強さが中程度である。従って、ポリエチレン繊維とポリプロピレン繊維とを等量ずつ配合してサーマルボンド法で形成された不織布シートを使用した本実施形態の自立性水切り生ゴミ袋は、生ゴミを収容したときの水濡れによって袋体のこしが弱まることや、形状が保持できなくなる恐れがなく、また、水分でシートが膨潤することにより目詰まりを起こす恐れもない。従って、ポリエチレン繊維とポリプロピレン繊維とを等量ずつ配合してサーマルボンド法で形成された不織布シートは、本実施形態の自立性水切りゴミ袋の素材として極めて好適である。
また、マチ５の両端が袋体１の両側端部３と一体的にヒートシールされているため、マチ５を展開して形成された底部１１は、ヒートシールされた先端部１１a及び後端部１１ｂの高さが高い船底形となり、その底部１１の形状に合わせて柱状の側壁面も丸みを帯びる一方、開口部１２も底部１１の形状と略同じ形が維持される。
【産業上の利用可能性】
【００１６】
生ごみ等の収納に使用するほか、身近かな場所、自動車内などに配置して一般のごみ袋として、また濡れたものを水切りするために一時収容する袋などとして活用することができる。
【符号の説明】
【００１７】
１    袋体
２    底
３    側端縁
５    マチ
１０    自立性水切りゴミ袋
１１    底部
１1a  先端部
１１ｂ  後端部
１２    開口部
１３    底面
１３a  先端
１３ｂ  後端
２０    不織布シート
W      幅
L      長さ
M      マチ幅
X      中央寄りの地点
Y      端寄りの地点
S      空間  
【図１】
0003218784.tif 000003
【図２】
0003218784.tif 000004
【図３】
0003218784.tif 000005
【図４】
0003218784.tif 000006
【図５】
0003218784.tif 000007
【図６】
0003218784.tif 000008
【図７】
0003218784.tif 000009
【図８】
0003218784.tif 000010
【図９】
0003218784.tif 000011
【図１０】
0003218784.tif 000012